(57)【要約】【課題】使用者がカメラの回転角を精密且つ正確に調整することができ、カメラの回転角を調整した後も、カメラの回転角をそのまま維持し得るモバイル通信装置のロータリーカメラ組立体を提供する。【解決手段】モバイル通信装置の一方側に装着されたカメラ支持部材１４０と、カメラ支持部材１４０の内部に回転自在に装着されたカメラ１５０と、カメラ１５０の回転角を維持するカメラ回転角維持手段と、を含んでモバイル通信装置のロータリーカメラ組立体を構成する。【選択図】図１
2005033797.tif 000002
【特許請求の範囲】
【請求項１】
モバイル通信装置の一方側に装着されたカメラ支持部材と、
前記カメラ支持部材の内部に回転自在に装着されたカメラと、
前記カメラの回転角を維持するカメラ回転角維持手段と、を含んで構成されることを特徴とするモバイル通信装置のロータリーカメラ組立体。
【請求項２】
前記カメラ回転角維持手段は、
前記カメラの側面中央に形成された回転ボスと、
前記カメラ支持部材の側面一方側に形成された掛止部と、
前記回転ボスと掛止部とを連結するベルトと、から構成されることを特徴とする請求項１記載のモバイル通信装置のロータリーカメラ組立体。
【請求項３】
前記回転ボス及び掛止部の外周面には、円周方向にベルト挿入溝がそれぞれ形成され、前記ベルト挿入溝には、前記ベルトが挟まれることを特徴とする請求項２記載のモバイル通信装置のロータリーカメラ組立体。
【請求項４】
前記ベルト挿入溝及びベルトは、断面Ｖ字状に形成されることを特徴とする請求項３記載のモバイル通信装置のロータリーカメラ組立体。
【請求項５】
前記掛止部のベルト挿入溝の表面は、オイルレス潤滑コーティングされることを特徴とする請求項３記載のモバイル通信装置のロータリーカメラ組立体。
【請求項６】
前記掛止部は、ロールタイプに形成されることを特徴とする請求項２記載のモバイル通信装置のロータリーカメラ組立体。
【請求項７】
前記カメラ回転角維持手段は、
前記カメラ支持部材に形成された開口部と、
前記カメラの外周面に加圧されるように、前記開口部に回転自在に軸設された加圧ローラと、から構成されることを特徴とする請求項１記載のモバイル通信装置のロータリーカメラ組立体。
【請求項８】
前記開口部は、前記カメラ支持部材の背面に形成されることを特徴とする請求項７記載のモバイル通信装置のロータリーカメラ組立体。
【請求項９】
前記カメラの外周面には、複数のセレーションが形成されることを特徴とする請求項７記載のモバイル通信装置のロータリーカメラ組立体。
【請求項１０】
前記セレーションは、カメラの長さ方向に均等に形成されることを特徴とする請求項９記載のモバイル通信装置のロータリーカメラ組立体。
【請求項１１】
前記加圧ローラは、ラバー材により形成されることを特徴とする請求項７記載のモバイル通信装置のロータリーカメラ組立体。
【発明の詳細な説明】
【技術分野】
【０００１】
本発明は、ロータリーカメラ組立体に係るもので、詳しくは、モバイル通信装置のヒンジ部に回転自在に装着されたモバイル通信装置のロータリーカメラ組立体に関するものである。
【背景技術】
【０００２】
現在、モバイル通信装置（Ｍｏｂｉｌｅ  Ｃｏｍｍｕｎｉｃａｔｉｏｎ  Ｄｅｖｉｃｅ）は、音声やデータを伝送する機能だけでなく、マルチメディア及びインターネット機能をも提供する。また、カメラを備えたモバイル通信装置では、映像イメージを撮影して送受信することもできる。
【０００３】
モバイル通信装置は、カメラの装着位置によって本体装着型、ホルダー装着型及びヒンジ装着型に分けられる。これらの中、ヒンジ装着型は、特許文献１にも見られるように、カメラの回転角（撮影角）をより広く確保するため多く使用される。以下、このヒンジ装着型モバイル通信装置に対して説明する。ここで、モバイル通信装置は、モバイルテレフォン（Ｍｏｂｉｌｅ  ｔｅｌｅｐｈｏｎｅｓ）、セルラーフォン（Ｃｅｌｌｕｌａｒ  ｔｅｌｅｐｈｏｎｅｓ）、個人通信システム（Ｐｅｒｓｏｎａｌ  Ｃｏｍｍｕｎｉｃａｔｉｏｎ  Ｓｙｓｔｅｍｓ：ＰＣＳ）、ＰＤＡ（Ｐｅｒｓｏｎａｌ  Ｄａｔａ  Ａｓｓｉｓｔａｎｔ）装置、及び無線通信機能を有する他の装置を含む総称とする。
【０００４】
図１０は従来のロータリーカメラが備わったモバイル通信装置を示した斜視図、図１１は従来のモバイル通信装置のロータリーカメラ組立体を示した結合斜視図、図１２は従来のモバイル通信装置のロータリーカメラ組立体を示した分離斜視図、図１３は従来のモバイル通信装置におけるブッシングのストッパーとカメラハウジングの係止突条を説明するための分離斜視図である。
【０００５】
まず、図１０に示すように、従来のモバイル通信装置１は、通信装置の本体１０と、ヒンジ部３０により通信装置本体１０に回動自在に装着されたホルダー２０と、ヒンジ部３０に装着されたカメラ組立体４０と、を含んで構成されている。
【０００６】
図１１乃至図１３に示すように、カメラ組立体４０は、ヒンジ部３０の一方側に嵌合されたブッシング５０と、ブッシング５０の内部に回転自在に装着されたカメラ６０と、から構成される。
ブッシング５０の一方側には第１支持片５１が形成され、他方側には第２支持片５２が形成されている。
また、第１支持片５１の一方側には回転軸挿合孔５１ａが穿孔形成され、回転軸挿合孔５１ａの内周面にはストッパー５１ｂが切削形成される。
また、第２支持片５２には、キャップ支持面５２ａが円弧状に形成される。
【０００７】
カメラ６０は、ブッシング５０の内部に回転自在に装着された円筒状のカメラハウジング７０と、カメラハウジング７０の内部に装着されてＦＰＣＢ（Ｆｌｅｘｉｂｌｅ  Ｐｒｉｎｔｅｄ  Ｃｉｒｃｕｉｔ  Ｂｏａｒｄ）８１及びレンズ８２からなるカメラモジュール８０と、カメラハウジング７０の開口７１側に嵌合されたキャップ９０と、から構成される。
ＦＰＣＢ８１は、キャップ９０に１回以上巻き取られて、モバイル通信装置の本体１０（図１０参照）のメインＰＣＢ（図示せず）に連結されている。
【０００８】
また、カメラハウジング７０の一方側の回転軸７２には、扇状の係止突条７３が形成される。回転軸７２は、ブッシング５０の回転軸挿合孔５１ａに挿合され、カメラハウジング７０に嵌合されたキャップ９０がブッシング５０のキャップ支持面５２ａにより支持されることで、カメラ６０は、回転軸７２を中心に回転することができる。
このとき、カメラ６０が回転すると、カメラハウジング７０の係止突条７３がブッシング５０のストッパー５１ｂに係止されるため、カメラ６０は、回転軸７２を中心に所定の角度範囲内のみで回転する。
また、キャップ９０に巻き取られたＦＰＣＢ８１の弾性復元力により、使用者がカメラ回転角を調整した後も、カメラ６０の回転角が任意に変更される可能性があるが、これを防止するために、回転軸７２の外周面７２ａが回転軸挿合孔５１ａの内周面に面接触されるように構成されている。
【０００９】
【特許文献１】特開２００４−１２９１５１号公報
【発明の開示】
【発明が解決しようとする課題】
【００１０】
しかしながら、従来のモバイル通信装置のロータリーカメラ組立体は、長期間使用による回転軸の摩耗又は組立公差により、回転軸の外周面が回転軸挿合孔の内周面に適切に接触されずに空回りするという不具合が生じる問題があった。
また、回転軸の外周面が回転軸挿合孔の内周面に適切に接触されずに空回りする場合、カメラが均一なテンションを有して回転しないため、使用者により角度調整されたカメラの回転角がＦＰＣＢの弾性復元力により任意に変更されるという不具合が生じる問題があった。
また、使用者により角度調整されたカメラの回転角が任意に変更されてしまうような場合、使用者所望の映像を精密且つ正確に撮影し得ないため、製品に対する消費者の信頼性が低下するという問題があった。
【００１１】
本発明は、このような従来のモバイル装置のロータリーカメラ組立体における問題に鑑みてなされたもので、本発明の目的は、使用者がカメラの回転角を精密且つ正確に調整することができ、カメラの回転角を調整した後も、カメラの回転角をそのまま維持し得るモバイル通信装置のロータリーカメラ組立体を提供することにある。
【課題を解決するための手段】
【００１２】
このような目的を達成するため、本発明に係るモバイル通信装置のロータリーカメラ組立体は、モバイル通信装置の一方側に装着されたカメラ支持部材と、該カメラ支持部材の内部に回転自在に装着されたカメラと、該カメラの回転角を維持するカメラ回転角維持手段と、を含んで構成されることを特徴とする。
また、前記カメラ回転角維持手段の第１実施形態は、前記カメラの側面中央に形成された回転ボスと、前記カメラ支持部材の側面一方側に形成された掛止部と、それら回転ボスと掛止部とを連結するベルトと、から構成されることを特徴とする。
また、前記カメラ回転角維持手段の第２実施形態は、前記カメラ支持部材に形成された開口部と、前記カメラの外周面に加圧されるように、前記開口部に回転自在に軸設された加圧ローラと、から構成されることを特徴とする。
【発明の効果】
【００１３】
本発明に係るモバイル通信装置のロータリーカメラ組立体によれば、使用者がカメラの回転角を調整するとき、カメラが所定のテンションを維持しながら所定角度に徐々に且つスムーズに回転するため、カメラの回転角を精密且つ正確に調整することができ、使用者がカメラの回転角を調整した後も、カメラの角度が変更されることなく、調整された回転角をそのまま維持し得るという効果がある。
また、使用者所望の映像を精密且つ正確に撮影することができ、製品に対する使用者の信頼性を向上し得るという効果がある。
【発明を実施するための最良の形態】
【００１４】
以下、本発明の実施の形態について、図面を参照して説明する。
図１乃至図５に示すように、本発明に係るモバイル通信装置のカメラ組立体１００の第１実施形態は、モバイル通信装置の本体１１０とホルダー１２０間に形成されたヒンジ部１３０の一方側に装着されたカメラ支持部材１４０と、カメラ支持部材１４０の内部に回転自在に装着されたカメラ１５０と、使用者により調整されたカメラ１５０の回転角が変更されることなく、そのまま回転角を維持するカメラ回転角維持手段１６０と、を含んで構成されている。
【００１５】
カメラ支持部材１４０はヒンジ部１３０の一方側に嵌合され、カメラ支持部材１４０の内部には、カメラ１５０が回転自在に挿合されている。
また、カメラ支持部材１４０の一方側には第１支持片１４１が形成され、他方側には第２支持片１４２が形成されている。
また、第１支持片１４１には回転軸挿合孔１４１ａが穿孔形成され、回転軸挿合孔１４１ａの内周面には扇状のストッパー１４１ｂが切削形成される。
また、第２支持片１４２には、キャップ支持面１４２ａが円弧状に形成されている。
【００１６】
カメラ１５０は、一方側に回転軸１５１ｂが形成された円筒状のカメラハウジング１５１と、カメラハウジング１５１の内部に装着されてＦＰＣＢ１５２ａ及びレンズ１５２ｂからなるカメラモジュール１５２と、カメラハウジング１５１の開口１５１ａ側に嵌合されたキャップ１５３と、から構成される。
カメラハウジング１５１の一方側に形成された回転軸１５１ｂは、カメラ支持部材１４０の回転軸挿合孔１４１ａに挿合され、キャップ１５３がカメラ支持部材１４０のキャップ支持面１４２ａにより支持されることで、カメラ１５０は回転することができる。
このとき、カメラ１５０が回転すると、カメラハウジング１５１の係止突条１５１ｃがカメラ支持部材１４０のストッパー１４１ｂに係止されるため、カメラ１５０は、所定の角度範囲内のみで回転する。
【００１７】
カメラ回転角維持手段１６０は、カメラ１５０のカメラハウジング１５１の側面、即ち第１支持片１４１に形成された回転ボス１６１と、カメラ支持部材１４０の側面に形成されたロールタイプの掛止部１６２と、それら回転ボス１６１と掛止部１６２とを連結するベルト１６３と、から構成される。
回転ボス１６１は、回転軸１５１ｂの中央に延長形成されるが、回転軸１５１ｂと一体に射出形成されることが好ましい。
【００１８】
また、回転ボス１６１の外周面及び掛止部１６２の外周面には、円周方向にベルト挿入溝Ｈ１、Ｈ２がそれぞれ切削形成され、それらベルト挿入溝Ｈ１、Ｈ２にはベルト１６３が挟まれる。このとき、ベルト挿入溝Ｈ１、Ｈ２及びベルト１６３は、断面Ｖ字状に形成されているため、ベルト１６３がベルト挿入溝Ｈ１、Ｈ２から容易に離脱しない。
また、ベルト１６３が所定のテンションを維持しながら回転ボス１６１と掛止部１６２とを連結することで、使用者がカメラ１５０の回転角を調整するとき、カメラ１５０が所定のテンションを維持しながら回転するだけでなく、角度調整されたカメラ１５０の回転角が任意に変更されることなく、使用者が調整した角度をそのまま維持することができる。
【００１９】
図示してないが、ベルト１６３を円滑に回転するために、掛止部１６２のベルト挿入溝Ｈ２の表面は、オイルレス潤滑コーティングされて滑らかに形成されている。
ここで、オイルレス潤滑コーティング工程は、オイルレスベアリングに適用される技術であって、ベルト挿入溝Ｈ１、Ｈ２の表面に黒鉛などの材料をコーティングする技術である。
【００２０】
以下、本発明に係るモバイル通信装置のカメラ組立体の、第１実施形態の動作を、図１乃至図５を参照して説明する。
まず、使用者がカメラ１５０の回転角を調整するためにカメラ１５０を所望の角度に回転すると、カメラ１５０は、回転軸１５１ｂを中心に所定角度に回転する。
これと同時に、回転軸１５１ｂと一体に形成された回転ボス１６１も回転軸１５１ｂと同一方向に回転するが、このとき、ベルト挿入溝Ｈ１、Ｈ２のオイルレス潤滑コーティングにより、回転ボス１６１と掛止部１６２とを連結するベルト１６３が滑動しながら回転軸１５１ｂと同一方向に回転する。
【００２１】
また、ベルト１６３が所定のテンションを維持しながら回転ボス１６１と掛止部１６２とを連結しているため、カメラ１５０が徐々に且つスムーズに回転し、使用者がカメラ１５０の回転角を調整した後も、カメラ１５０の角度が変更されずに、調整された回転角をそのまま維持することができる。
【００２２】
一方、図６乃至図９に示したように、本発明に係るモバイル通信装置のロータリーカメラ組立体２００の第２実施形態は、カメラ支持部材２４０の内部に回転自在に装着されたカメラ２５０と、使用者により調整されたカメラ２５０の回転角をそのまま維持するカメラ回転角維持手段２６０と、を含んで構成されている。
【００２３】
カメラ支持部材２４０は、図１に示した本発明の第１実施形態のように、本体のヒンジ部の一方側に嵌合され、カメラ支持部材２４０の内部には、カメラ２５０が回転自在に挿合されている。
また、カメラ支持部材２４０の一方側には第１支持片２４１が形成され、他方側には第２支持片２４２が形成されている。
また、第１支持片２４１には回転軸挿合孔２４１ａが穿孔形成され、回転軸挿合孔２４１ａの内周面には扇状のストッパー２４１ｂが切削形成される。
また、第２支持片２４２には、キャップ支持面２４２ａが円弧状に形成されている。
【００２４】
カメラ２５０は、回転軸２５１ｂ及び扇状の係止突条２５１ｃが形成された円筒状のカメラハウジング２５１と、カメラハウジング２５１の内部に装着されてＦＰＣＢ２５２ａ及びレンズ２５２ｂからなるカメラモジュール２５２と、カメラハウジング２５１の開口２５１ａ側に嵌合されたキャップ２５３と、から構成される。
【００２５】
カメラハウジング２５０の回転軸２５１ｂは、カメラ支持部材２４０の回転軸挿合孔２４１ａに挿合され、キャップ２５３がカメラ支持部材２４０のキャップ支持面２４２ａにより支持されることで、カメラ２５０は回転することができる。このとき、カメラ２５０が回転すると、カメラハウジング２５１の係止突条２５１ｃがカメラ支持部材２４０のストッパー２４１ｂに係止されるため、カメラ２５０は、所定の角度範囲内で回転する。
カメラ回転角維持手段２６０は、カメラ支持部材２４０に切削形成された開口部２６１と、カメラ２５０の外周面に加圧されるように、開口部２６１に回転自在に軸２６２ａが装着された加圧ローラ２６２と、から構成される。
【００２６】
また、開口部２６１は、カメラ支持部材２４０の背面でカメラ２５０と近接した部分に形成されることが好ましい。
また、加圧ローラ２６２は、開口部２６１に回転自在に軸２６２ａが装着され、カメラ２５０の外周面には、加圧ローラ２６２の外周面に密着されるように複数のセレーション２６３が切削形成されている。
また、セレーション２６３は、カメラ２５０の長さ方向に均等に複数形成されている。ここで、カメラ２５０の回転角を調整するとき、カメラ２５０が所定のテンションを維持しながら円滑に回転するように、加圧ローラ２６２は、ラバー材により形成されることが好ましい。
【００２７】
以下、本発明に係るモバイル通信装置のカメラ組立体の、第２実施形態の動作を、図６乃至図９を参照して説明する。
まず、使用者がカメラ２５０の回転角を調整するためにカメラ２５０を所望の角度回転にすると、カメラ２５０は、回転軸２５１ｂを中心に所定角度で回転する。
このとき、ラバー材質の加圧ローラ２６２の外周面がセレーション２６３に密着されるため、カメラ２５０は、所定のテンションを維持しながら所定角度に徐々に且つスムーズに回転し、カメラ２５０の回転角をより精密且つ正確に調整することができる。また、使用者がカメラ１５０の回転角を調整した後も、カメラ１５０は調整された回転角をそのまま維持することができる。
【００２８】
尚、本発明は、上述の実施形態に限られるものではない。本発明の技術的範囲から逸脱しない範囲内で多様に変更実施することが可能である。
【図面の簡単な説明】
【００２９】
【図１】本発明に係るモバイル通信装置の第１実施形態を示した斜視図である。
【図２】図１の平面図である。
【図３】本発明に係るモバイル通信装置のカメラ組立体の第１実施形態を示した分離斜視図である。
【図４】本発明に係るモバイル通信装置のカメラ組立体の第１実施形態を示した結合斜視図である。
【図５】本発明に係るモバイル通信装置のカメラ組立体の第１実施形態におけるカメラハウジングを示した斜視図である。
【図６】本発明に係るモバイル通信装置のカメラ組立体の第２実施形態を示した分離斜視図である。
【図７】本発明に係るモバイル通信装置のカメラ組立体の第２実施形態における支持部材のストッパー及びカメラハウジングの係止突条を説明するための斜視図である。
【図８】本発明に係るモバイル通信装置のカメラ組立体の第２実施形態を示した結合背面斜視図である。
【図９】図８のＩ−Ｉ線断面図である。
【図１０】従来のロータリーカメラが備わったモバイル通信装置を示した斜視図である。
【図１１】従来のモバイル通信装置のロータリーカメラ組立体を示した結合斜視図である。
【図１２】従来のモバイル通信装置のロータリーカメラ組立体を示した分離斜視図である。
【図１３】従来のモバイル通信装置における支持部材のストッパー及びカメラハウジングの係止突条を説明するための斜視図である。
【符号の説明】
【００３０】
１００、２００    モバイル通信装置のカメラ組立体
１１０    本体
１２０    ホルダー
１３０    ヒンジ部
１４０、２４０    カメラ支持部材
１４１ａ、２４１ａ    回転軸挿合孔
１４１ｂ、２４１ｂ    扇状のストッパー
１４１、２４１    第１支持片
１４２、２４２    第２支持片
１４２ａ、２４２ａ    キャップ支持面
１５０、２５０    カメラ
１５１、２５１    カメラハウジング
１５１ａ、２５１ａ    開口
１５１ｂ、２５１ｂ    回転軸
１５１ｃ    ストッパー
１５２ａ、２５２ａ    ＦＰＣＢ
１５２ｂ、２５２ｂ    レンズ
１５２、２５２    カメラモジュール
１５３、２５３    キャップ
１６０、２６０    カメラ回転角維持手段
１６１    回転ボス
１６２    掛止部
１６３    ベルト
Ｈ１、Ｈ２    ベルト挿入溝
【図１】
2005033797.tif 000003
【図２】
2005033797.tif 000004
【図３】
2005033797.tif 000005
【図４】
2005033797.tif 000006
【図５】
2005033797.tif 000007
【図６】
2005033797.tif 000008
【図７】
2005033797.tif 000009
【図８】
2005033797.tif 000010
【図９】
2005033797.tif 000011
【図１０】
2005033797.tif 000012
【図１１】
2005033797.tif 000013
【図１２】
2005033797.tif 000014
【図１３】
2005033797.tif 000015